(57)【要約】【課題】振動板の反作用をキャンセルし、背圧の問題を除去してメディアリソースの原音を忠実に再現できるスピーカユニットを提供する。【解決手段】六面が密閉された箱状のエンクロージャ３と、エンクロ−ジャ３の一面の壁を挟んで内外にそれぞれ壁に沿って平行に配置された二つのドライバ２ａ，２ｂとを備えたスピーカユニット１である。各ドライバ２ａ，２ｂは、ダイヤフラム４の周囲を囲うとともに複数の開口部５ａが形成されたフレーム５を有している。内外ドライバ２ａ，２ｂ間には、壁を貫通してフレーム５開口部５ａ間を最短距離にて連通するパイプ７を備えるとともに、パイプ７によって連通されたフレーム５の開口部５ａ以外の開口部をカバー部材６によって塞ぐことによって内外ドライバ２ａ，２ｂのフレーム５内側にパイプ７によって連通された密閉空間が形成されている。【選択図】図１
2015207985.tif 000002
【特許請求の範囲】
【請求項１】
六面が密閉された箱状のエンクロ−ジャと、
該エンクロ−ジャの一面の壁を挟んで内外にそれぞれ該壁に沿って平行に配置された二つのドライバとからなり、
各ドライバは、ダイヤフラムの周囲を囲うとともに複数の開口部が形成されたフレームを有し、
該壁を貫通して該内外ドライバのフレーム開口部間を最短距離にて連通するパイプを備えるとともに、該パイプによって連通されたフレームの開口部以外の開口部を塞ぐことによって内外ドライバのフレーム内側に該パイプによって連通された密閉空間を形成し、
外側のドライバはメディアリソースからのオーディオ信号を出力し、
該エンクロ−ジャ内側のドライバは該メディアリソースからのオーディオ信号の逆位相信号を出力する、
ことを特徴とするスピーカユニット。
【発明の詳細な説明】
【技術分野】
【０００１】
本発明は、メディアリソースからの原音を忠実に再現できるスピーカユニットに関する。
【背景技術】
【０００２】
従来のエンクロージャ型（もしくはキャビネット型）においてはドライバの振動板の背圧の問題は避け難かった。これを回避するためには平面バッフル板という解決方法しか存在しなかった。平面バッフル板は理想的なスピーカではあるものの、巨大なバッフル板が必要になり、実用性において大きな欠点があった。
そこで考え出されたのが図２に示すようなタンデム駆動方式のスピーカ１０である。これは、一つのエンクロージャ１１ａとドライバ１２ａの背後にもう一つのエンクロージャ１１ｂとドライバ１２ｂを備えた二重エンクロージャタイプのものである。これはすでにエグルストン社において実用化されている。これによると、前方の振動板１３ａが前方に動いた分、後方のドライバ１２ｂの振動板１３ｂも同位相で同時に動くために、前方スピーカーボックスの圧力は、常に外部圧力と同一となり、その結果、振動板の背圧の問題は解消されるというものであった。
【０００３】
しかしながらこのシステムは所期の効果を生んでいない。なぜなら、空気の動く速度は遅く、なおかつ空気は容易く圧縮もしくは伸長されうるため、後方のドライバ１２ｂの送り出す空気が前方のドライバ１２ａの背後に到達する頃には、すでに前方の振動板１３ａは動き始めてしまっているから、根本的な背圧の解消には至っていない。その結果、電気エネルギーが空気エネルギーに変換させられずに、それが端的にスピーカユニット、ひいてはスピーカシステム全体を動かすエネルギーとなってしまうことから、再生音の正確性を期する上で問題を残していた。
【先行技術文献】
【特許文献】
【０００４】
【特許文献１】特開平２−１００５００号公報
【特許文献２】特開２００７−２３５７２７号公報
【発明の概要】
【発明が解決しようとする課題】
【０００５】
上述した問題を解決することが本発明の課題である。すなわち、振動板の反作用をキャンセルし、スピーカユニットの背圧の問題を除去することを課題とする。
【課題を解決するための手段】
【０００６】
そこで、本発明に係るスピーカシステムは、六面が密閉された箱状のエンクロ−ジャと、該エンクロ−ジャの一面の壁を挟んで内外にそれぞれ該壁に沿って平行に配置された二つのドライバとからなり、各ドライバは、ダイヤフラムの周囲を囲うとともに複数の開口部が形成されたフレームを有し、該壁を貫通して該内外ドライバのフレーム開口部間を最短距離にて連通するパイプを備えるとともに、該パイプによって連通されたフレームの開口部以外の開口部を塞ぐことによって内外ドライバのフレーム内側に該パイプによって連通された密閉空間を形成し、外側のドライバはメディアリソースからのオーディオ信号を出力し、該エンクロ−ジャ内側のドライバは該メディアリソースからのオーディオ信号の逆位相信号を出力するを出力するように構成した。
【発明の効果】
【０００７】
本発明に係るスピーカユニットによれば、二つのドライバを最短距離に隣接させたうえで、該内外ドライバのフレーム開口部間を最短距離にて連通するパイプによって両者のフレームを結合して密閉空間を形成したので、両ドライバを結び付ける空間が非常に小さくなり、二つのドライバは緊密な運動関係のもとに、正確に同位相で作動することになる。これによって、パイプによって結合されたドライバのＦoが改善され、開放的かつ明瞭な再生音を獲得できる。
【図面の簡単な説明】
【０００８】
【図１】本発明の実施例に係るスピーカユニットを示す縦断面図。
【図２】従来技術にかかるスピーカユニットを示す縦断面図。
【発明を実施するための形態】
【０００９】
図１は、本発明の実施例にかかるスピーカユニット１を示すもので、六面が密閉された箱状のエンクロ−ジャ３と、該エンクロ−ジャ３の上面の壁（天板）を挟んで内外にそれぞれ該壁に沿って平行に配置された二つのドライバ２ａ、２ｂを備えている。
【００１０】
内外ドライバ２ａ、２ｂは、それぞれダイヤフラム４の周囲を囲うとともに複数の開口部５ａが形成されたフレーム５を有している。該内外ドライバ２ａ、２ｂは、該壁を貫通して該内外ドライバ２ａ，２ｂのフレーム開口部５ａ、５ａ間を最短距離にて連通するパイプ７を備えている。該パイプ７によって連通されたフレームの開口部５ａ以外の開口部はカバー部材６によって塞いでいる。
【００１１】
該パイプ７が連通した開口部以外のフレーム５の開口部５ａをカバー部材６によって塞いだことによって、内外ドライバにおけるダイヤフラム４とフレーム５との間にはパイプ７によって連通された密閉空間が形成されている。当該パイプ７の素材は、本実施例においてはプラスチック製のものをエポキシ系接着剤でドライバに密着しているが、気密性が高く、変形し難いものであれば他の素材を使用し得る。
【００１２】
エンクロージャ３の外側に配置されたドライバ２ａは、ＣＤ等のメディアリソースに記録された音声信号をそのまま忠実に再生するように構成され（図中、外側方向への矢印で示す）、エンクロージャ３の内側に配置されたドライバ２ｂは、これと逆位相の音声生成手段を介して出力されるように構成されている（図中、内側方向への矢印で示す）。
【００１３】
上述のように構成されたスピーカユニット１においては、ドライバ２ａのダイヤフラム区背面側に生じる音波振動がドライバ２ｂから生じる逆位相の音波振動によって相殺される。すなわち、パイプ７によって連通された密閉空間における音声も空気圧も互いに相殺されて消滅することになる。従って、ドライバ２ａからはダイヤフラム４（振動板）の反作用及び背圧による悪影響を受けることなく、メディアリソースに記録された音声信号が忠実に再生されることとなる。
【産業上の利用可能性】
【００１４】
本発明に係るスピーカユニットは、メディアリソースに記録された音声信号の忠実な再生ができるもので、音響機器として広く利用できるものである。
【符号の説明】
【００１５】
１：スピーカユニット、２ａ，２ｂ：ドライバ、３：エンクロージャ、４：ダイヤフラム、５：フレーム、５ａ：開口部、６：カバー部材。
【図１】
2015207985.tif 000003
【図２】
2015207985.tif 000004